(57)【要約】【課題】敷居に下方への力が加わったときに、敷居が下方へ移動してしまうことを抑制することができるエレベータ敷居受装置を得る。【解決手段】昇降路の壁１に突出して固定されるアンカーボルト２と、このアンカーボルト２が挿入可能な長孔３ａが形成され、この長孔３ａにアンカーボルト２が挿入されることで、鉛直方向に移動可能な第１の取付具３と、壁１に取り付けられる敷居７を支持する第２の取付具４と、アンカーボルト２に設けられ、第２の取付具４が敷居７を支持したときに、第２の取付具４が下方に移動することを規制する第３の取付具５とを備えている。【選択図】図２
2009132472.tif 000002
【特許請求の範囲】
【請求項１】
被取付部に突出して固定される取付用ボルトと、
前記取付用ボルトが挿入可能な長孔が形成され、前記長孔に前記取付用ボルトが挿入されることで、鉛直方向に移動可能な第１の取付具と、
前記被取付具に取り付けられる敷居を支持する第２の取付具と、
前記取付用ボルトに設けられ、前記第２の取付具が前記敷居を支持したときに、前記第２の取付具が下方に移動することを規制する下方移動規制手段とを備えたことを特徴とするエレベータ敷居受装置。
【請求項２】
前記下方移動規制手段には、前記取付用ボルトが挿入可能な長孔が形成され、
前記下方移動規制手段は、前記長孔に前記取付用ボルトが挿入されることで、鉛直方向および水平方向に同時に移動可能であることを特徴とする請求項１に記載のエレベータ敷居受装置。
【請求項３】
前記第１の取付具は、前記第２の取付具を支持し、
前記下方移動規制手段は、前記第１の取付具を支持することを特徴とする請求項１または請求項２に記載のエレベータ敷居受装置。
【請求項４】
前記下方移動規制手段には、前記第１の取付具の下端面に当接可能な当接部が形成されていることを特徴とする請求項３に記載のエレベータ敷居受装置。
【請求項５】
前記下方移動規制手段には、前記第１の取付具側に延びた延長部が形成され、
前記第１の取付具と前記延長部との間には、前記第１の取付具と前記下方移動規制手段との水平方向の相対位置を変化させる水平方向移動手段が設けられていることを特徴とする請求項３または請求項４に記載のエレベータ敷居受装置。
【請求項６】
前記水平方向移動手段は、
前記延長部に設けられ、回転することで前記第１の取付具に向かって進退可能なボルトと、
前記ボルトの先端部に設けられ、前記ボルトと前記第１の取付具とを保持する保持手段とを有していることを特徴とする請求項５に記載のエレベータ敷居受装置。
【請求項７】
前記第１の取付具は、前記敷居を支持し、
前記下方移動規制手段は、前記第２の取付具を支持することを特徴とする請求項１または請求項２に記載のエレベータ敷居受装置。
【請求項８】
前記被取付具は、昇降路の壁であることを特徴とする請求項１ないし請求項７の何れか１項にエレベータ敷居受装置。
【発明の詳細な説明】
【技術分野】
【０００１】
この発明は、例えば、昇降路の壁に突出して固定される取付用ボルトと、取付用ボルトが挿入可能な長孔が形成され、この長孔に取付用ボルトが挿入されることで、鉛直方向に移動可能な第１の取付具と、壁に取り付けられる敷居を支持する第２の取付具とを備えたエレベータ敷居受装置に関する。
【背景技術】
【０００２】
従来、昇降路の壁に突出して固定されるアンカーボルトと、前記アンカーボルトが挿入可能な長孔が形成され、前記長孔に前記アンカーボルトが挿入されることで、鉛直方向に移動可能な第１の取付具と、前記第１の取付具に支持され、前記壁に取り付けられる敷居を支持する第２の取付具とを備えたエレベータ敷居受装置が知られている（例えば、特許文献１参照）。
【０００３】
【特許文献１】実公昭６０−６５３５号公報
【発明の開示】
【発明が解決しようとする課題】
【０００４】
しかしながら、このものの場合、ナットを用いて第１の取付具とアンカーボルトとを固定しても、ナットによる第１の取付具とアンカーボルトとの固着力より大きい力が敷居を介して第１の取付具に下方へ加えられると、アンカーボルトが第１の取付具の長孔を移動してしまい、第１の取付具が下方へ移動して、第２の取付具が下方へ移動するので、敷居が下方へ移動してしまうという問題点があった。
【０００５】
この発明は、上述のような問題点を解決することを課題とするものであって、その目的は、敷居に下方への力が加えられたときに、敷居が下方へ移動してしまうことを抑制することができるエレベータ敷居受装置を提供するものである。
【課題を解決するための手段】
【０００６】
この発明に係るエレベータ敷居受装置は、被取付部に突出して固定される取付用ボルトと、前記取付用ボルトが挿入可能な長孔が形成され、前記長孔に前記取付用ボルトが挿入されることで、鉛直方向に移動可能な第１の取付具と、前記被取付具に取り付けられる敷居を支持する第２の取付具と、前記取付用ボルトに設けられ、前記第２の取付具が前記敷居を支持したときに、前記第２の取付具が下方に移動することを規制する下方移動規制手段とを備えている。
【発明の効果】
【０００７】
この発明に係るエレベータ敷居受装置によれば、敷居に下方への力が加えられたときに、下方移動規制手段により第２の取付具が下方に移動することが規制されるので、第２の取付具に支持された敷居が下方へ移動してしまうことを抑制することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータ敷居受装置を用いて昇降路の壁１に敷居７が取り付けられた様子を示す正面図、図２は図１の壁１、敷居７およびエレベータ敷居受装置を示す側面図、図３は図２のエレベータ敷居受装置の分解斜視図、図４（ａ）は図２のエレベータ敷居受装置の正面図である。
この実施の形態に係るエレベータ敷居受装置は、被取付部である昇降路の壁１に垂直な方向に突出して固定される取付用ボルトである一対のアンカーボルト２と、このアンカーボルト２に支持される第１の取付具３と、この第１の取付具３に支持される第２の取付具４と、アンカーボルト２に支持される下方移動規制手段である第３の取付具５とを備えている。
なお、アンカーボルト２は、この数に限らない。
【０００９】
第１の取付具３は、断面コ字形状に形成されており、アンカーボルト２に取り付けられたときに、水平方向の両端部が壁１から離れる方向を向き、中央部が壁１に平行となる。
第１の取付具３の中央部には、アンカーボルト２が挿入可能な長孔３ａが２ヶ所形成されており、それぞれの長孔３ａにアンカーボルト２が挿入されると、長孔３ａの長径の方向は鉛直方向となり、第１の取付具３は鉛直方向に移動可能となる。
アンカーボルト２には、ナット６が取り付けられており、このナット６を締めると、第１の取付具３がアンカーボルト２に固定される。
第１の取付具３の両端部には、それぞれに、ボルト８が挿入可能な長孔３ｂが２ヶ所形成されており、第１の取付具３がアンカーボルト２に取り付けられると、この長孔３ｂは、長径の方向が水平方向であって壁１に離接する方向となる。
【００１０】
第２の取付具４は、Ｌ字形状に形成されており、一端部が第１の取付具３の両端部のそれぞれに取り付けられ、他端部には上側から敷居７が取り付けられる。
第２の取付具４の一端部には、ボルト８が挿入可能な孔４ａが２ヶ所形成されており、それぞれの孔４ａには、第１の取付具３の長孔３ｂに挿入されたボルト８が挿入される。
ボルト８が長孔３ｂを移動することにより、第２の取付具４は水平方向であって壁１に離接する方向に移動する。
なお、水平方向であって壁１に離接する方向とアンカーボルト２の軸線方向とは、同一の方向である。
ボルト８には、ナット９が取り付けられており、このナット９を締めると、第１の取付具３と第２の取付具４とが固定される。
第２の取付具４の他端部には、長孔４ｂが形成されており、第２の取付具４が第１の取付具３に取り付けられると、この長孔４ｂは、長径の方向が水平方向であって壁１に沿った方向となる。
【００１１】
敷居７には、一方向に延びた孔７ａが形成されており、この孔７ａにボルト１０が挿入される。
このボルト１０は、第２の取付具４の長孔４ｂにも挿入されており、ボルト１０が孔７ａを移動することにより、敷居７が水平方向であって壁１に沿った方向に移動する。
なお、第２の取付具４の長孔４ｂは、敷居７との接触する第２の取付具４の面が製造の誤差等により傾いた場合に、ボルト１０を長孔４ｂに沿って移動させて第２の取付具４と敷居７とを確実に接触させるために形成されている。
ボルト１０には、ナット１１が取り付けられており、このナット１１を締めると、第２の取付具４と敷居７とが固定される。
【００１２】
第３の取付具５は、アンカーボルト２に取り付けられたときの下端部に、壁１から離れる方向に折曲された当接部である下端折曲部５ａが形成され、アンカーボルト２に取り付けられたときの水平方向の両端部に、水平方向であって壁１に離接する方向に折曲された延長部である側端折曲部５ｂが形成されている。
下端折曲部５ａは、第３の取付具５がアンカーボルト２に取り付けられたときに、第１の取付具３の下端面に当接する。
これにより、第３の取付具５は、第１の取付具３を介して第２の取付具４が下方へ移動することを規制することができる。
第３の取付具５の中央部には、アンカーボルト２が挿入可能な長孔５ｃが２ヶ所形成されており、それぞれの長孔５ｃにアンカーボルト２が挿入されると、第３の取付具５は鉛直方向および水平方向に同時に移動可能となる。
アンカーボルト２に取り付けられたナット６を締めると、第１の取付具３と第３の取付具５とがアンカーボルト２に固定される。
【００１３】
次に、この実施の形態に係るエレベータ敷居装置を用いて、昇降路の壁１に敷居７を取り付ける手順について説明する。
まず、２本のアンカーボルト２を壁１に固定する。
次に、長孔５ｃにアンカーボルト２を挿入して第３の取付具５をアンカーボルト２に取り付け、さらに、長孔３ａにアンカーボルト２を挿入して第１の取付具３をアンカーボルト２に取り付ける。
このとき、第３の取付具５の下端折曲部５ａを第１の取付具３の下端部の端面に当接させる。
なお、このとき、ナット６は、軽く緩んだままの状態にする。
【００１４】
次に、第１の取付具３の長孔３ｂにボルト８を挿入し、さらに、第２の取付具４の孔４ａにボルト８を挿入して、第２の取付具４を第１の取付具３に取り付ける。
このとき、ナット９は、軽く緩んだままの状態である。
さらに、敷居７の孔７ａにボルト１０を挿入した後、長孔４ｂにボルト１０を挿入して、第２の取付具４に敷居７を取り付ける。
このとき、ナット１１は、軽く緩んだままの状態である。
次に、ボルト８を長孔３ｂに沿って移動させて、敷居７の水平方向であって壁１に離接する方向の位置を調節した後、ナット９を締めて第１の取付具３と第２の取付具４とを固定する。
【００１５】
次に、ハンマー１２を用いて第３の取付具５を横方向からたたくと、アンカーボルト２が長孔５ｃに沿って移動して、第３の取付具５は水平方向へ移動するとともに鉛直方向へも移動する。
第３の取付具５が鉛直方向へ移動することにともない、第３の取付具５に支持された第１の取付具３も鉛直方向へ移動し、第１の取付具３に固定された第２の取付具４も鉛直方向へ移動して、第２の取付具４に支持された敷居７も鉛直方向に移動する。
ハンマー１２による敷居７の鉛直方向の位置の調節が終了すると、ナット６を締めて、第１の取付具３と第３の取付具５とをアンカーボルト２に固定する。
次に、ボルト１０を孔７ａに沿って移動させて、敷居７の水平方向であって壁１に沿った方向の位置を調節した後、ナット１１を締めて、第２の取付具４と敷居７とを固定する。
【００１６】
次に、この実施の形態に係るエレベータ敷居受装置により昇降路の壁１に取り付けられた敷居７に下方への力が加えられた場合について説明する。
利用者等が敷居７の上に乗ると、敷居７には下方への力が加えられる。
敷居７に加えられた下方への力は、第２の取付具４を介して第１の取付具３に伝達され、第１の取付具３には下方への力が加えられる。
第１の取付具３はナット６によりアンカーボルト２に固定されているものの、第１の取付具３に加えられた力がナット６による第１の取付具３とアンカーボルト２との固着力より強い場合には、アンカーボルト２が長孔３ａに沿って移動して、第１の取付具３が下方へ移動しようとする。
しかしながら、第１の取付具３の下端部の端面が第３の取付具５の下端折曲部５ａに当接されて、第１の取付具３が第３の取付具５に支持されているので、第１の取付具３が下方へ移動するのが規制される。
これにより、第１の取付具３に支持された第２の取付具４が下方へ移動することが規制され、第２の取付具４に支持された敷居７が下方へ移動することが抑制される。
【００１７】
以上説明したように、この実施の形態に係るエレベータ敷居受装置によれば、第３の取付具５は、第１の取付具３を介して第２の取付具４が下方に移動することを規制するので、敷居７に下方への力が加わっても、敷居７が下方へ移動することを抑制することができる。
【００１８】
また、第３の取付具５は、長孔５ｃにアンカーボルト２が挿入されると、鉛直方向および水平方向に同時に移動可能であるので、第３の取付具５を水平方向に移動させることで、簡単に敷居７の鉛直方向の位置を調節することができる。
【００１９】
第１の取付具３が第２の取付具４を支持し、第３の取付具５が第１の取付具３を支持しているので、第３の取付具５を移動させるだけで、敷居７の鉛直方向の位置を簡単に調節することができる。
【００２０】
第３の取付具５の下端部には、第１の取付具３の下端部の端面に当接する下端折曲部５ａが形成されているので、簡単に第３の取付具５が第１の取付具３を支持することができる。
【００２１】
なお、この実施の形態では、ハンマー１２を用いて第３の取付具５を横方向からたたくことで、第３の取付具５を水平方向および鉛直方向へ移動させたが、勿論このものに限らず、図４（ａ）および図４（ｂ）に示すように、バール１３を用いて第３の取付具５を水平方向および鉛直方向へ移動させてもよい。
【００２２】
実施の形態２．
図５は、この実施の形態に係るエレベータ敷居受装置を用いて昇降路の壁１に敷居７が取り付けられた様子を示す側面図、図６は図５のエレベータ敷居受装置の分解斜視図、図７（ａ）は図５のエレベータ敷居受装置の正面図、図７（ｂ）は図７（ａ）の要部拡大図である。
この実施の形態に係るエレベータ敷居受装置は、壁１に取り付けられたときに、第１の取付具３の水平方向の一方の端部と、この端部と対向した第３の取付具５の側端折曲部５ｂとの間に、第１の取付具３と第３の取付具５との水平方向の相対位置を変化させる水平方向移動手段１４を備えている。
水平方向移動手段１４は、側端折曲部５ｂに設けられた、回転することで第１の取付具３に向かって進退可能なボルト１５と、このボルト１５の先端部に設けられた、ボルト１５と第１の取付具３とを保持する保持手段である止輪１９とを有している。
【００２３】
ボルト１５は、基部に頭部、中間部にネジ溝を外周に有した大径部１５ａ、先端部に小径部１５ｂ、大径部１５ａと小径部１５ｂとの間に段部１５ｃが形成されている。
側端折曲部５ｂにはネジ溝を有した孔１６が形成され、この孔１６にボルト１５の大径部１５ａが挿入されており、ボルト１５が回転すると第１の取付具３に向かってボルト１５が進退する。
第１の取付具３の一端部には、ボルト１５が挿入可能な長孔１７が形成されており、この長孔１７にはボルト１５の小径部１５ｂが挿入されている。
なお、第１の取付具３の一端部には、長孔１７に限らず、ボルト１５が挿入可能な丸孔が形成されてもよい。
【００２４】
小径部１５ｂの先端部は、長孔１７を通って第１の取付具３の内側に臨んでおり、この小径部１５ｂには、側端折曲部５ｂの両面から挟んだ一対の座金１８が取り付けられている。
止輪１９は、Ｃ型形状をしており、段部１５ｃとともに一対の座金１８を挟んでおり、第１の取付具３とボルト１５とを保持する。
止輪１９により、第１の取付具３とボルト１５とが保持されたまま、ボルト１５が回転して第１の取付具３に向かって進退すると、連動して、第１の取付具３と第３の取付具５との水平方向の相対位置が変化する。
第１の取付具３と第３の取付具５との水平方向の相対位置が変化すると、第１の取付具３はアンカーボルト２に対して水平方向に移動することが規制されているので、第３の取付具５がアンカーボルト２に対して水平方向に移動する。
第３の取付具５がアンカーボルト２に対して水平方向に移動すると、同時に第３の取付具５はアンカーボルト２に対して鉛直方向に移動するので、第１の取付具３も鉛直方向に移動する。
したがって、ボルト１５を回転させることで、第１の取付具３、第２の取付具４および敷居７の鉛直方向の位置を簡単に調節することができる。
その他の構成は実施の形態１と同様である。
【００２５】
この実施の形態に係るエレベータ敷居受装置によれば、第１の取付具３と第３の取付具５との間に、第１の取付具３と第３の取付具５との水平方向の相対位置を変化させる水平方向移動手段１４が取り付けられているので、第１の取付具３の鉛直方向の位置を簡単に調節することができ、その結果、敷居７の鉛直方向の位置を簡単に調節することができる。
【００２６】
また、側端折曲部５ｂには、回転することで第１の取付具３に向かって進退するボルト１５が設けられ、このボルト１５の先端部には、ボルト１５と第１の取付具３とを保持する止輪１９が設けられているので、ボルト１５を回転することで、簡単に第１の取付具３と第３の取付具５との水平方向の相対位置を変化させることができ、敷居７の鉛直方向の位置を簡単に調節することができる。
また、ボルト１５の回転角度を小さくすることで、敷居７の鉛直方向の位置を小さく調節することができる。
【００２７】
実施の形態３．
図８（ａ）はこの実施の形態に係るエレベータ敷居受装置を示す斜視図、図８（ｂ）は図８（ａ）の第２の取付具４および第３の取付具５を示す分解斜視図、図９は図８のエレベータ敷居受装置と敷居７とを示す正面図である。
この実施の形態に係るエレベータ敷居受装置は、壁１に垂直な方向に突出して固定される５本のアンカーボルト２と、１本のアンカーボルト２に支持される第１の取付具３と、一対のアンカーボルト２に支持される第３の取付具５と、第３の取付具５に支持される第２の取付具４とを備えている。
アンカーボルト２は、水平方向の両端に２本ずつ、中央に１本配置される。
なお、アンカーボルト２は、この数に限らない。
【００２８】
第３の取付具５は、断面コ字形状に形成されており、アンカーボルト２に取り付けられたときに、水平方向の両端部が壁１から離れる方向を向き、中央部が壁１に平行となる。
第３の取付具５の中央部には、アンカーボルト２が挿入可能な長孔５ｃが２ヶ所形成されており、それぞれの長孔５ｃにアンカーボルト２が挿入されると、第３の取付具５は鉛直方向および水平方向に同時に移動可能となる。
アンカーボルト２に取り付けられたナット６を締めると、第３の取付具５がアンカーボルト２に固定される。
第３の取付具５の両端部には、それぞれに、ボルト２０が挿入可能な長孔５ｄが２ヶ所形成されており、第３の取付具５がアンカーボルト２に取り付けられると、この長孔５ｄは、長径の方向が水平方向であって壁１に離接する方向となる。
【００２９】
第２の取付具４は、Ｌ字形状に形成されており、一端部が第３の取付具５の両端部のそれぞれに取り付けられ、他端部には上側から敷居７が取り付けられる。
第２の取付具４の一端部には、ボルト２０が挿入可能な孔４ａが形成され、第３の取付具５の長孔５ｄに挿入されたボルト２０は、第２の取付具４の孔４ａに挿入される。
ボルト２０が長孔５ｄを移動することにより、第２の取付具４は水平方向であって壁１に離接する方向に移動する。
ボルト２０には、ナット２１が取り付けられており、このナット２１を締めると、第３の取付具５と第２の取付具４とが固定される。
第２の取付具４の他端部には、長孔４ｂが形成されており、第２の取付具４が第３の取付具５に取り付けられると、この長孔４ｂは、長径の方向が水平方向であって壁１に沿った方向となる。
【００３０】
敷居７の孔７ａには、ボルト２２が挿入され、さらに、このボルト２２は第２の取付具４の長孔４ｂにも挿入されており、ボルト２２が孔７ａを移動することにより、敷居７が水平方向であって壁１に沿った方向に移動する。
ボルト２２には、ナット２３が取り付けられており、このナット２３を締めると、第２の取付具４と敷居７とが固定される。
【００３１】
第１の取付具３は、Ｌ字形状に形成されており、一端部がアンカーボルト２に取り付けられ、他端部には上側から敷居７が取り付けられている。
第１の取付具３の一端部には、アンカーボルト２が挿入可能な長孔３ａが形成され、この長孔３ａにアンカーボルト２が挿入されると、長孔３ａの長径の方向は鉛直方向となり、第１の取付具３は鉛直方向に移動可能となる。
このアンカーボルト２にもナット６が取り付けられており、このナット６を締めると、第１の取付具３がアンカーボルト２に固定される。
第１の取付具３の他端部には、ボルト２４が挿入可能な長孔（図示せず）が形成されており、第１の取付具３がアンカーボルト２に取り付けられると、この長孔は、長径の方向が水平方向であって壁１に離接する方向となる。
この長孔には、敷居７の孔７ａに挿入されたボルト２４が挿入される。
ボルト２４には、ナット２５が取り付けられており、このナット２５を締めると、第１の取付具３と敷居７とが固定される。
その他の構成は実施の形態１と同様である。
【００３２】
次に、この実施の形態に係るエレベータ敷居装置を用いて、昇降路の壁１に敷居７を取り付ける手順について説明する。
まず、５本のアンカーボルト２を壁１に固定する。
次に、長孔３ａに中央のアンカーボルト２を挿入して第１の取付具３をアンカーボルト２に取り付け、長孔５ｃに両端のアンカーボルト２を挿入して第３の取付具５をアンカーボルト２に取り付ける。
このとき、ナット６は、軽く緩んだままの状態にする。
【００３３】
次に、ボルト２０を介して第３の取付具５に第２の取付具４を取り付ける。
このとき、ナット２１は、軽く緩んだままの状態にする。
次に、第１の取付具３および第２の取付具４の上側に敷居７を取り付け、敷居７の水平方向であって壁１に離接する方向の位置および水平方向であって壁１に沿った方向の位置を調節した後に、ナット２５を締めて第１の取付具３と敷居７とを固定し、さらに、ナット２１を締めて第２の取付具４と第３の取付具５とを固定する。
このとき、ナット２３は、軽く緩んだままの状態にする。
【００３４】
次に、第３の取付具５を長孔５ｃの方向に移動させる。
このとき、第２の取付具４は第３の取付具５に固定され、第２の取付具４と敷居７とは固定されていないので、第２の取付具４は、第３の取付具５とともに長孔５ｃの方向に移動する。
第２の取付具４が長孔５ｃの方向に移動するので、第２の取付具４に支持された敷居７
が鉛直方向に移動する。
このようにして、第３の取付具５を移動させて、敷居７の鉛直方向の位置を調節する。
最後に、ナット６を締めて第１の取付具３および第３の取付具５をアンカーボルト２に固定し、ナット２３を締めて第２の取付具４と敷居７とを固定する。
【００３５】
この実施の形態に係るエレベータ敷居受装置によれば、第３の取付具５が敷居７を支持した第２の取付具４を支持しているので、敷居７に下方への力が加えられても、第３の取付具５が第２の取付具４を介して敷居７が下方へ移動することを規制することができる。
【００３６】
なお、上記各実施の形態では、エレベータの昇降路の壁１に敷居７を取り付けるエレベータ敷居受装置について説明したが、勿論このものに限らず、エレベータのかごに敷居７を取り付けるエレベータ敷居受装置であってもよい。
【図面の簡単な説明】
【００３７】
【図１】実施の形態１に係るエレベータ敷居受装置を用いて昇降路の壁に敷居が取り付けられた様子を示す正面図である。
【図２】図１の壁、敷居およびエレベータ敷居受装置を示す側面図である。
【図３】図２のエレベータ敷居受装置の分解斜視図である。
【図４】図４（ａ）図２のエレベータ敷居受装置の正面図、図４（ｂ）は図４（ａ）の要部拡大図である。
【図５】実施の形態２に係るエレベータ敷居受装置を用いて昇降路の壁に敷居が取り付けられた様子を示す側面図である。
【図６】図５のエレベータ敷居受装置の分解斜視図である。
【図７】図７（ａ）図５のエレベータ敷居受装置の正面図、図７（ｂ）は図７（ａ）の要部拡大図である。
【図８】図８（ａ）は実施の形態３に係るエレベータ敷居受装置を示す斜視図、図８（ｂ）は図８（ａ）の第２の取付具および第３の取付具を示す分解斜視図である。
【図９】図８のエレベータ敷居受装置と敷居とを示す正面図である。
【符号の説明】
【００３８】
１  壁、２  アンカーボルト、３  第１の取付具、３ａ  長孔、３ｂ  長孔、４  第２の取付具、４ａ  孔、４ｂ  長孔、５  第３の取付具、５ａ  下端折曲部、５ｂ  側端折曲部、５ｃ  長孔、５ｄ  長孔、６  ナット、７  敷居、７ａ  孔、８  ボルト、９  ナット、１０  ボルト、１１  ナット、１２  ハンマー、１３  バール、１４  水平方向移動手段、１５  ボルト、１５ａ  大径部、１５ｂ  小径部、１５ｃ  段部、１６  孔、１７  長孔、１８  座金、１９  止輪、２０  ボルト、２１  ナット、２２  ボルト、２３  ナット、２４  ボルト、２５  ナット。
【図１】
2009132472.tif 000003
【図２】
2009132472.tif 000004
【図３】
2009132472.tif 000005
【図４】
2009132472.tif 000006
【図５】
2009132472.tif 000007
【図６】
2009132472.tif 000008
【図７】
2009132472.tif 000009
【図８】
2009132472.tif 000010
【図９】
2009132472.tif 000011